(57)【要約】【課題】性能のバラツキを抑制する。【解決手段】フェライトコア１２は、略棒形状に形成された磁性体であり、巻線１４が巻き付けられたボビン１３がフェライトコア１２に挿入され、フェライトコア１２に対するボビン１３の位置を調整することで、コイルアンテナ１１のインダクタンスが設定される。また、ボビン１３には、巻線１４に接続されるコンデンサ１５が固定されており、コイルアンテナ１１のインダクタンスを調整する際に、巻線１４とコンデンサ１５が一緒に移動するように構成されている。本発明は、例えば、車両のエントリーシステムなどに用いられる通信装置のコイルアンテナに適用できる。【選択図】図１
2010213234.tif 000002
【特許請求の範囲】
【請求項１】
略棒形状に形成された磁性体のフェライトコアと、
前記フェライトコアが挿入されるボビンと、
前記ボビンに巻き付けられる巻線と、
前記巻線に接続され、前記ボビンに固定されるコンデンサと
を備えるコイルアンテナ。
【発明の詳細な説明】
【技術分野】
【０００１】
本発明は、コイルアンテナに関し、特に、性能のバラツキを抑制することができるようにしたコイルアンテナに関する。
【背景技術】
【０００２】
従来、無線通信を行う無線通信装置において、フェライトコアに巻線（コイル）を巻きつけた電波送信用のコイルアンテナが用いられている。
【０００３】
一般的に、巻線のインダクタンス（Ｌ値）のバラツキが大きいと、送信出力のバラツキが大きくなるため、送信出力が一定となるようにコイルアンテナごとにインダクタンスを調整する工程が設けられる。例えば、コイルアンテナは、フェライトに対する巻線の位置を移動させることができるように構成され、フェライトに対する巻線の位置を調整することで、所望のインダクタンスとなるように設定される。
【０００４】
例えば、特許文献１には、フェライトコアの長さ方向における所定位置に配設されたコネクタ端子に、ボビンに巻き付けられた巻線を連結させることにより、巻線の位置を調整し易く、かつ、巻線の位置をずれ難くしたコイルアンテナが開示されている。
【先行技術文献】
【特許文献】
【０００５】
【特許文献１】国際公開第ＷＯ２００５／０３８９８２号パンフレット
【発明の概要】
【発明が解決しようとする課題】
【０００６】
ところで、従来、巻線とＬＣ共振回路を構成するコンデンサは、コイルアンテナとは別に設けられる通信回路などに配置されていた。このため、コイルアンテナの巻線の位置を調整してインダクタンスを設定した後に、ハーネスなどを介してコイルアンテナを通信回路に接続すると、ハーネスの状態（長さや撓み具合などの変化）によってインダクタンスが変化することがあった。
【０００７】
このように、コイルアンテナのインダクタンスの設定時と、コイルアンテナの実装時とにおいてインダクタンスが変化することにより、コイルアンテナの性能にバラツキが生じることがあった。
【０００８】
本発明は、このような状況に鑑みてなされたものであり、性能のバラツキを抑制することができるようにするものである。
【課題を解決するための手段】
【０００９】
本発明のコイルアンテナは、略棒形状に形成された磁性体のフェライトコアと、前記フェライトコアが挿入されるボビンと、前記ボビンに巻き付けられる巻線と、前記巻線に接続され、前記ボビンに固定されるコンデンサとを備える。
【００１０】
本発明のコイルアンテナにおいては、略棒形状に形成された磁性体のフェライトコアに、巻線が巻き付けられたボビンが挿入され、ボビンには、巻線に接続されるコンデンサが固定されている。
【００１１】
これにより、コイルアンテナのインダクタンスを調整する際に巻線とコンデンサが一緒に移動することができ、コイルアンテナの性能のバラツキを抑制することができる。
【発明の効果】
【００１２】
本発明によれば、性能のバラツキを抑制することができる。
【図面の簡単な説明】
【００１３】
【図１】本発明を適用したコイルアンテナの一実施の形態の構成例を示す斜視図である。
【図２】コイルアンテナのボビンの位置を調整する方法について説明する図である。
【発明を実施するための形態】
【００１４】
以下、本発明を適用した具体的な実施の形態について、図面を参照しながら詳細に説明する。
【００１５】
図１は、本発明を適用したコイルアンテナの一実施の形態の構成例を示す斜視図である。
【００１６】
図１において、コイルアンテナ１１は、フェライトコア１２、ボビン１３、巻線１４、コンデンサ１５、ハーネス１６Ａおよび１６Ｂ、並びにコネクタ１７を備えて構成される。
【００１７】
フェライトコア１２は、矩形に形成された棒形状の磁性体である。
【００１８】
ボビン１３には、フェライトコア１２が挿入可能な矩形の断面形状の貫通穴が形成された筒状の本体の両端にフランジ１３Ａおよび１３Ｂが形成されるとともに、フランジ１３Ｂと一体に形成された取付部１３Ｃが設けられている。ボビン１３は、フェライトコア１２に挿入された状態で、フェライトコア１２の長手方向（図１の矢印方向）にスライド可能とされており、後述するようにインダクタンスが調整された後に、フェライトコア１２に対して固定（接着）される。
【００１９】
また、ボビン１３の取付部１３Ｃには、端子用金板およびコンデンサ固定用金板がインサート成形により装着されている。
【００２０】
巻線１４は、ボビン１３のフランジ１３Ａと１３Ｂとの間に巻き付けられており、その両端が、ボビン１３の取付部１３Ｃに装着されているコンデンサ固定用板金に接続されている。
【００２１】
コンデンサ１５は、ボビン１３の取付部１３Ｃに装着されているコンデンサ固定用板金に取り付けられており、コンデンサ１５の両端が、コンデンサ固定用板金を介して巻線１４の両端に接続されている。即ち、コンデンサ１５と巻線１４とによりＬＣ共振回路が構成されている。
【００２２】
ハーネス１６Ａおよび１６Ｂは、電線を絶縁体で被覆したものであり、ボビン１３の取付部１３Ｃに装着されている端子用金板とコネクタ１７とを電気的に接続する。
【００２３】
コネクタ１７は、図示しない通信装置、例えば、車両のエントリーシステムなどにおいて、運転者が所持する携帯機との通信を行う通信装置などと、コイルアンテナ１１とを接続するための接続器である。即ち、コネクタ１７を介して、コンデンサ１５および巻線１４からなるＬＣ共振回路が、通信装置に電気的に接続される。
【００２４】
このようにコイルアンテナ１１は構成されており、通信装置から送信信号に応じた電流が、コネクタ１７並びにハーネス１６Ａおよび１６Ｂを介して、コンデンサ１５および巻線１４からなるＬＣ共振回路に供給されると、その送信信号に応じた電波がコイルアンテナ１１から出力される。
【００２５】
また、コイルアンテナ１１は、その製造工程において、例えば、コイルアンテナ１１のインダクタンス（Ｌ値）を所望の値に設定して、フェライトコア１２にボビン１３を固定する工程が設けられる。この工程では、例えば、コイルアンテナ１１のインダクタンスを測定する測定装置にコネクタ１７を接続し、フェライトコア１２に対してボビン１３をスライドさせながらインダクタンスを測定し、所望のインダクタンスとなった位置でボビン１３が固定される。
【００２６】
次に、図２を参照して、コイルアンテナ１１のボビン１３の位置を調整する方法について説明する。
【００２７】
例えば、図２Ａに示すように、フェライトコア１２の長手方向と略平行な回転軸を中心に回転する送りネジ２１を使用し、ボビン１３のフランジ１３Ａおよび１３Ｂと送りネジ２１とが係合するようにコイルアンテナ１１を配置して、送りネジ２１を回転させることでボビン１３をスライドさせて、フェライトコア１２に対するボビン１３の位置が調整される。
【００２８】
また、図２Ｂに示すように、フェライトコア１２の長手方向に対して略直交する軸を中心に回動するアーム部２２を使用し、アーム部２２がボビン１３のフランジ１３Ａを把持して回動することでボビン１３をスライドさせて、フェライトコア１２に対するボビン１３の位置が調整される。
【００２９】
このようにフェライトコア１２に対するアーム部２２の位置を調整して、コイルアンテナ１１が所望のインダクタンスとなるように調整される。
【００３０】
以上のように構成されるコイルアンテナ１１では、ボビン１３の取付部１３Ｃにコンデンサ１５が固定されているので、インダクタンスの調整時に巻線１４とコンデンサ１５とが一緒に移動する。即ち、ボビン１３の位置を調整しても、コンデンサ１５と巻線１４との位置関係は一定のものとなっており、その位置関係が変化することはない。これにより、コイルアンテナ１１の性能（送信出力）のバラツキを抑制することができる。
【００３１】
従って、コイルアンテナ１１のインダクタンスの調整時と、コイルアンテナ１１の実装時とにおいて、コイルアンテナ１１のインダクタンスが変化することが回避され、調整時のインダクタンスのまま、コイルアンテナ１１を実装することができる。
【００３２】
即ち、従来のコイルアンテナは、巻線とコンデンサが個別に配設されており、コイルアンテナのインダクタンスを設定してコンデンサを接続したとき、巻線とコンデンサとの間の配線の変化などにより、コイルアンテナのインダクタンスが変化することがあり、コイルアンテナごとにインダクタンスが異なる（個体差が発生する）ことがあった。
【００３３】
これに対し、コイルアンテナ１１のインダクタンスの調整時と、コイルアンテナ１１の実装時とにおいて、コイルアンテナ１１のインダクタンスが変化することはなく、コイルアンテナ１１を実装した際のインダクタンスは、調整時のインダクタンスと同一値である。従って、コイルアンテナ１１の性能のバラツキを抑制することができる。
【００３４】
また、コイルアンテナ１１では、コンデンサ１５の静電容量のバラツキも加味してコイルアンテナ１１のインダクタンスの調整が行われるので、コンデンサ１５の静電容量のバラツキがコイルアンテナ１１の性能に影響を与えることを回避することができる。
【００３５】
また、従来、ボビン１３とは別の部品にコンデンサ１５を内蔵させていたので、コイルアンテナ１１では、ボビン１３にコンデンサ１５を内蔵することによる部品点数の削減を図ることができる。
【００３６】
なお、本発明の実施の形態は、上述した実施の形態に限定されるものではなく、本発明の要旨を逸脱しない範囲において種々の変更が可能である。
【符号の説明】
【００３７】
１１  コイルアンテナ，  １２  フェライトコア，  １３  ボビン，  １４  巻線，  １５  コンデンサ，  １６Ａおよび１６Ｂ  ハーネス，  １７  コネクタ，  ２１  送りネジ，  ２２  アーム部
【図１】
2010213234.tif 000003
【図２】
2010213234.tif 000004